(57)【要約】【課題】迅速に構築でき、かつ所定の止水高さを確保しても崩れにくい仮設の止水壁を提供する。【解決手段】多段に積み重ねられる複数のホース１と、ホース１の長手方向に直交する方向からホース１に当接するホース支持部材２とを備えた止水壁５１である。ホース１を多段に積み重ねると共に、ホース支持部材２をホース１の長手方向に所定の間隔で配置し、ホース１の内部に流動体を充填することにより形成する。【選択図】図１
2008285841.tif 000002
【特許請求の範囲】
【請求項１】
多段に積み重ねられる複数のホースと、
前記ホースの長手方向に直交する方向から多段に積み重ねられた前記複数のホースに当接するホース支持部材と、を備え、
前記複数のホースを多段に積み重ねると共に、前記ホース支持部材を前記長手方向に所定の間隔で配置し、当該ホースの内部に流動体を充填することにより形成することを特徴とする、止水壁。
【請求項２】
前記ホース支持部材は、前記ホースの前記長手方向に直交する方向の両側から当該ホースに当接する平坦な当接面を有し自立する一対の鋼板製部材からなることを特徴とする、請求項１に記載の止水壁。
【請求項３】
多段に積み重ねられた前記複数のホースを固定するための帯状のバンドをさらに備え、当該バンドを前記長手方向に直交する方向から前記複数のホースの周囲に８の字状に懸架することを特徴とする、請求項１又は請求項２に記載の止水壁。
【請求項４】
多段に積み重ねられた前記複数のホースを前記長手方向に直交する方向から覆うためのシート状部材をさらに備え、前記複数のホースは、当該シート状部材で覆われていることを特徴とする、請求項１乃至請求項３のいずれか１項に記載の止水壁。
【請求項５】
複数のホースを多段に積み重ねるホース設置工程と、
前記ホースの長手方向に直交する方向から前記複数のホースに当接するホース支持部材を、前記長手方向に所定の間隔で配置する支持部材配置工程と、
多段に積み重ねられた前記複数のホースの内部に流動体を充填する流動体充填工程と、を備えていることを特徴とする、止水壁構築方法。
【請求項６】
前記複数のホースを固定するための帯状のバンドを、前記長手方向に直交する方向から多段に積み重ねられた前記複数のホースの周囲に８の字状に懸架するバンド設置工程を備えていることを特徴とする、請求項５に記載の止水壁構築方法。
【請求項７】
多段に積み重ねられた前記複数のホースを、前記長手方向に直交する方向からシート状部材で覆うシート設置工程を備えていることを特徴とする、請求項５又は請求項６に記載の止水壁構築方法。
【発明の詳細な説明】
【技術分野】
【０００１】
本発明は、地下街やビルなどの建物の浸水を防止するための止水壁、およびその止水壁を形成するための止水壁構築方法に関する。
【背景技術】
【０００２】
市街地においては、土地を有効活用する観点から盛んに地下開発が行われており、地下街へ連絡する入口の数が多くなっている。地下街は天候に影響されない空間であるため便利ではあるが、台風や集中豪雨などによる水害の影響を受け易いという面も合わせ持っている。すなわち、地下街の入口から多量の雨水が流入した場合、地下街の排水設備が不十分であると地下街全体が浸水してしまう。同様に、地上のビルなどの建物においても、多量の雨水が建物の入口から流入し建物内部が浸水する場合がある。
ここで、地下街やビルなどの建物の浸水を防止するための方法としては、一般的に、地下街やビルなどの入口付近に一定の大きさの土嚢を積み上げて簡易な壁を作ることで浸水を防止する方法がある。しかし、土などが入れられ積み上げられた土嚢は、水平方向にそれぞれ独立していることから土嚢間に小さな隙間が生じ、そこから水が入り込むことがある。越水の程度によっては水圧により積み上げられた土嚢が崩れ、押し流される場合もある。一方、浸水を防止するための方法として、下記の特許文献に記載されたような技術も提案されている。
【０００３】
従来、海や河川などの堤防からの越水による住宅地や地下構造物の浸水防止を目的として緊急時に堤防の天端高さを嵩上げするための遮水壁構造に関する技術が提案され開示されている（例えば、特許文献１参照）。この遮水壁構造は、液蜜層を有し円筒状に膨張したり帯状に潰れたりできる可撓性を有する筒状部材を備え、筒状部材の両端部を閉止して内部に液体を注入して円筒状に膨張した状態で海や河川等の側縁部に沿って連続して設けるようにしたものである。この遮水壁構造は、水平方向に連続しているためその方向のシールは確保することができる。
【０００４】
また、非常時に利用する止水扉と日常的に利用する車両止めの両方の機能を持った止水扉兼車両止装置に関する技術も提案され開示されている（例えば、特許文献２参照）。この止水扉兼車両止装置は、通路面に設けた止水板開口から止水板案内溝に沿って上下方向にスライドし通路を車両が通行不能な高さまで遮断し且つその高さまで防水する止水板と、この止水板よりも下方に設置され止水板を上下にスライドさせるべく駆動する止水板駆動手段とを備えた装置である。
【０００５】
【特許文献１】特開２０００−３０３４２５号公報
【特許文献２】特開２００１−２４８１４０号公報
【発明の開示】
【発明が解決しようとする課題】
【０００６】
しかしながら、特許文献１に記載された遮水壁構造では、遮水壁を高くしようとすると、筒状部材の直径を大きくする、あるいは、筒状部材を多段に積み重ねる必要がある。まず、筒状部材の直径を大きくする場合、筒状部材の重量が大きくなり所定の位置に設置するのに時間がかかると共に、筒状部材に注入する多量の液体を必要としその充填にも時間がかかるという問題がある。次に、筒状部材を多段に積み重ねる場合、上段に向かうほど筒状部材の設置が不安定になり、複数の筒状部材からなる遮水壁は崩れ易くなる。
【０００７】
また、特許文献２に記載された止水扉兼車両止装置では、止水板の高さを所望の高さだけ確保して止水板の重量が大きくなったとしても止水板駆動手段を備えているため、止水板を上下させることに時間はそれほどかからない。しかしながら、このような止水扉兼車両止装置を例えば地下街への入口に設置しようとすると大がかりな工事が必要となると共に、常設設備となるため作動確認などの定期的なメンテナンスも必要になりコスト高となる。
【０００８】
本発明は、上記実情に鑑みてなされたものであり、その目的は、迅速に構築でき、かつ所定の止水高さを確保しても崩れにくい仮設の止水壁を提供することを目的とする。
【課題を解決するための手段及び発明の効果】
【０００９】
本発明に係る止水壁は、地下街やビルなどの建物の浸水を防止するための止水壁に関する。そして、本発明に係る止水壁は、上記目的を達成するために以下のようないくつかの特徴を有している。すなわち、本発明の止水壁は、以下の特徴を単独で、若しくは、適宜組み合わせて備えている。
【００１０】
上記目的を達成するための本発明に係る止水壁における第１の特徴は、多段に積み重ねられる複数のホースと、前記ホースの長手方向に直交する方向から多段に積み重ねられた前記複数のホースに当接するホース支持部材と、を備え、前記複数のホースを多段に積み重ねると共に、前記ホース支持部材を前記長手方向に所定の間隔で配置し、当該ホースの内部に流動体を充填することにより形成することである。
【００１１】
この構成によると、内部に流動体が注入され多段に積み重ねられた複数のホースは、ホース支持部材により固定されることにより、所定の止水高さを確保し易い仮設の止水壁を形成する。また、この止水壁は、例えば台風や集中豪雨などが原因の降雨による水圧を受けたとしてもホース支持部材により固定されているため崩れにくい。また、止水壁を形成する複数のホースは、多段に積み重ねられた状態でホース支持部材により固定されるため、比較的小口径のホースを積み重ねて用いても崩れにくく、すなわち比較的軽量で取り扱い易いホースを用いることが可能となり、止水壁を緊急時などに迅速に構築することができる。
【００１２】
また、本発明に係る止水壁における第２の特徴は、前記ホース支持部材は、前記ホースの前記長手方向に直交する方向の両側から当該ホースに当接する平坦な当接面を有し自立する一対の鋼板製部材からなることである。
【００１３】
この構成によると、水圧によりホースがホース支持部材に押し付けられたとしても、ホース支持部材の平坦な当接面に対してホースが押し付けられるため、ホースは損傷を受けにくい。また、ホース支持部材は、鋼板製部材からなるためその強度は高く、水圧がかかっても折れ曲がりにくい。また、このホース支持部材はそれ自体、自立できるので設置スペースさえ確保できればどのような場所にでも設置可能である。
【００１４】
また、本発明に係る止水壁における第３の特徴は、多段に積み重ねられた前記複数のホースを固定するための帯状のバンドをさらに備え、当該バンドを前記長手方向に直交する方向から前記複数のホースの周囲に８の字状に懸架することである。
【００１５】
この構成によると、多段に積み重ねられた複数のホースは、帯状のバンドにより相互に固定される。これにより、複数のホースからなる止水壁は、さらに崩れにくくなる。また、仮にホースが損傷してホース内部から一部の流動体が漏れることによりホースの剛性が多少低下しても、バンドの拘束力により止水壁の変形は生じにくい。
【００１６】
また、本発明に係る止水壁における第４の特徴は、多段に積み重ねられた前記複数のホースを前記長手方向に直交する方向から覆うためのシート状部材をさらに備え、前記複数のホースは、当該シート状部材で覆われていることである。
【００１７】
この構成によると、多段に積み重ねられた複数のホースからなる止水壁の一体性を高めることができる。すなわち、止水壁はより崩れにくいものとなる。
【００１８】
また、本発明に係る止水壁構築方法は、地下街やビルなどの建物の浸水を防止するための止水壁を形成するための止水壁構築方法に関する。そして、本発明に係る止水壁構築方法は、上記目的を達成するために以下のようないくつかの特徴を有している。すなわち、本発明の止水壁構築方法は、以下の特徴を単独で、若しくは、適宜組み合わせて備えている。
【００１９】
上記目的を達成するための本発明に係る止水壁構築方法における第１の特徴は、複数のホースを多段に積み重ねるホース設置工程と、前記ホースの長手方向に直交する方向から前記複数のホースに当接するホース支持部材を、前記長手方向に所定の間隔で配置する支持部材配置工程と、多段に積み重ねられた前記複数のホースの内部に流動体を充填する流動体充填工程と、を備えていることである。
【００２０】
この構成によると、構築された複数のホースからなる止水壁は、ホース支持部材により固定されるため、所定の止水高さを確保し易いと共に、例えば台風や集中豪雨などが原因の降雨による水圧を受けたとしても崩れにくい。また、複数のホースは、多段に積み重ねられた状態でホース支持部材により固定されるため、比較的小口径のホースを積み重ねて用いても崩れにくく、すなわち比較的軽量で取り扱い易いホースを用いることが可能となり、止水壁を緊急時などに迅速に構築することができる。
【００２１】
また、本発明に係る止水壁構築方法における第２の特徴は、前記複数のホースを固定するための帯状のバンドを、前記長手方向に直交する方向から多段に積み重ねられた前記複数のホースの周囲に８の字状に懸架するバンド設置工程を備えていることである。
【００２２】
この構成によると、多段に積み重ねられた複数のホースは、帯状のバンドにより相互に固定される。これにより、複数のホースからなる止水壁は、さらに崩れにくくなる。また、仮にホースが損傷してホース内部から一部の流動体が漏れることによりホースの剛性が多少低下しても、バンドの拘束力により止水壁の変形は生じにくい。
【００２３】
また、本発明に係る止水壁構築方法における第３の特徴は、多段に積み重ねられた前記複数のホースを、前記長手方向に直交する方向からシート状部材で覆うシート設置工程を備えていることである。
【００２４】
この構成によると、多段に積み重ねられた複数のホースからなる止水壁の一体性を高めることができる。すなわち、止水壁はより崩れにくいものとなる。
【発明を実施するための最良の形態】
【００２５】
以下、本発明を実施するための最良の形態について図面を参照しつつ説明する。尚、本発明に係る止水壁は、地下街やビルなどの建物の入口付近に設置して地下街やビルなどの建物の浸水を防止するだけでなく、海や河川などの堤防上に設置して住宅地などの浸水を防止するためにも利用することができる。
【００２６】
図１は、本発明の一実施形態に係る止水壁５１を示す斜視図である。図１（ａ）は、止水壁５１を示し、図１（ｂ）は、止水壁５１のホース支持部材（２、２’）の変形例を示す。図１（ａ）に示すように、本実施形態の止水壁５１は、内部に流動体（例えば、水道水）が充填された多段に積み重ねられた複数のホース１（１ａ、１ｂ、１ｃ）と、ホース１の長手方向に直交する方向からホース１に当接して自立するホース支持部材（２、２’）とから構成されている。
【００２７】
ホース１は、例えばポリエステル繊維からなる経糸とこの経糸にスパイラル状に連続して織り込まれる緯糸とで形成された円周方向に継ぎ目のない筒状織物であり、その内外面をラテックスで被覆し水密としている。ここで、ホース１の緯糸は、ホース１の径方向に屈曲した形態となるよう、経糸はホース１の長手方向に直線状となるよう織成されている。また、ホース１を形成する緯糸の長さは経糸の長さよりも約５〜２０％長い。このため、ホース１の内部に水道水を注入した場合、ホース１は、径方向に関しては膨張しようとし、長手方向に関しては縮もうとする。よって、ホース１は、内部に水道水を注入した際、ホース支持部材（２、２’）間で蛇行せず、ほぼ直線状となり、一方、径方向には膨張しようとするのでホース支持部材（２、２’）の当接面Ｓに対して隙間なく密着しようとする。したがって、複数のホース１を多段に積み重ねる作業性が向上すると共に、構築した止水壁５１は容易に崩れない頑丈なものとなる。尚、ホース１は、その内外面をいずれも樹脂被覆するのではなく、内面および外面のうちのいずれかを樹脂被覆したものであってもよい。
【００２８】
また、ホース１の両端は、ホース１の両端から水が漏れないよう、各々、パッキン（不図示）を介して一対の鋼板１１で挟みこまれボルト、ナットで閉止されている。そして、ホース１の端部付近には水道水をホース１内部に充填するためのタケノコ１２がバルブ（不図示）を介して取り付けられている。タケノコ１２には、流動体供給用ホース３１の一方の端部が取り付けられ、流動体供給用ホース３１の他方の端部には、給水栓やポンプなどの注入装置（不図示）が接続される。ホース（１ａ、１ｂ、１ｃ）は各々、口径φ６５ｍｍ、最大使用圧力：１．３ＭＰａ、３７０ｇ／ｍ、長さ：１０ｍとした。ホースの口径は、取扱性の観点からφ６５〜φ２００程度であることが好ましい。
【００２９】
また、ホース支持部材２は、ホース１をその両側から挟持するようにホース１に当接する平坦な当接面Ｓを有する一対の鋼板製部材（２ａ、２ｂ）から構成されている。鋼板製部材２ａは、当接面Ｓを有する当接部２３ａと、当接部２３ａの下端に溶接などにより取り付けられたベース部２１ａと、当接部２３ａに対して斜め下方に広がるように当接部２３ａおよびベース部２１ａに溶接などにより取り付けられた補強部２２ａとからなる。ベース部２１ａは、最下段のホース１ａの下側を通じて、鋼板製部材２ａに対抗して配置される鋼板製部材２ｂのベース部２１ｂと例えばボルト、ナットにより連結される。尚、鋼板製部材２ｂは、鋼板製部材２ａとほぼ同様の構造であり、鋼板製部材２ａと鋼板製部材２ｂとで一対の鋼板製部材２（ホース支持部材２）を形成する。鋼板製部材２ａおよび鋼板製部材２ｂの設置間隔は、当接面Ｓ同士の間隔がほぼホース１の口径に等しくなるよう調節される。一対の鋼板製部材（２ａ、２ｂ）からなるこのホース支持部材２はそれ自体、自立できるので設置スペースさえ確保できればどのような場所にでも設置可能である。また、鋼板製材料からなるので強度も高い。
【００３０】
また、止水壁５１を海や河川の堤防上に設置して越水対策などに使用する場合など、止水壁５１に対して比較的大きな水圧が作用する場合には、図１（ｂ）に示すように、ホース支持部材２を鋼製の杭２４で地盤に固定する。図１（ａ）のベース部２１ａをホース１の長手方向に直交する方向に延長させたベース部２１’ａの両端部に設けられた孔（不図示）を介して杭２４を地盤に打ち込み、ホース支持部材２を地盤に対して強固に固定する。杭２４は木製であってもよい。尚、一対の鋼板製部材からなるホース支持部材（２、２’）の代わりに、水圧が作用した複数のホース１を支持することが可能な十分な強度を有する一対の鋼製または木製の杭（不図示）を用いてもよい。
【００３１】
次に、止水壁５１の構築方法について説明する。まず、複数のホース（１ａ、１ｂ、１ｃ）を多段に積み重ねるホース設置工程を行う。ホース設置工程においては、例えば、予めリール（不図示）に巻き取ったホース（１ａ、１ｂ、１ｃ）を、リールを回動させながら引き伸ばしていく。まず、ホース１ａを地下街やビルなどの建物の入口付近に設置し、設置したホース１ａの上にホース１ｂ、ホース１ｃの順でホース（１ｂ、１ｃ）を積み重ねていく。ここで、止水長さが長いため、ホースの必要長さが１０ｍを超える場合には、予めホース（１ａ、１ｂ、１ｃ）の端部に、例えば消防ホース金具（不図示）などの接続金具を取り付けておき、相互に連結して止水長さを確保する。尚、接続金具の径は、多段に積み上げたホース（１ａ、１ｂ、１ｃ）内部に水道水を入れてホースを膨張させた際に上下に隣接するホースと干渉しないよう、ホースの口径以下であることが好ましい。さらにこのホース連結部を、ファスナー付きカバーホースなどでカバーすれば止水性はさらに向上する。
【００３２】
次に、ホース１の長手方向に直交する方向からホース支持部材（２、２’）を、ホース１の長手方向に所定の間隔で配置する支持部材配置工程を行う。支持部材配置工程では、例えば、鋼板製部材２ａのベース部２１ａを最下段のホース１ａの下に差し込み、差し込んだベース部２１ａの上に鋼板製部材２ｂを載置して、ベース部２１ａと鋼板製部材２ｂのベース部２１ｂとを連結する。そして、鋼板製部材（２ａ、２ｂ）の設置と同様の方法で、鋼板製部材（２ａ、２ｂ）に対して所定の間隔をあけて、鋼板製部材（２’ａ、２’ｂ）を配置する。ここで、作業の容易性から、ホース設置工程のあと支持部材配置工程を行うことが好ましいが、最初に支持部材配置工程を行い、その後ホース設置工程を行ってもよい。また、積み重ねるホースの段数が多い場合は、多段に積み重ねられたホースが崩れることを防止するため、ホース設置工程の途中で支持部材配置工程を行ってもよい。
【００３３】
次に、多段に積み重ねられた複数のホース（１ａ、１ｂ、１ｃ）の内部に流動体である水道水を充填する流動体充填工程を行う。流動体充填工程では、流動体供給用ホース３１の端部に例えばポンプを接続し、最下段のホース１ａからホース１ｂ、１ｃの順に水道水を充填していく。水道水の充填が終了すればホース（１ａ、１ｂ、１ｃ）に設けられたバルブを閉じて充填した水道水の圧力を保てるようにする。
【００３４】
ここで、水道水の充填された最下段のホース１ａの圧力は、水道水の充填された他のホース（１ｂ、１ｃ）の圧力よりも低く設定するほうが好ましい。最下段のホース１ａの圧力を低くすることで、ホース１ａは径方向に柔軟に凹むことが可能となり、その結果、地盤表面の凹凸にホース下面が追従し止水性が向上する。一方、最下段のホース１ａよりも上段のホース（１ｂ、１ｃ）の圧力は、ホース１ａの圧力よりも高く設定するほうが好ましい。ホース（１ｂ、１ｃ）の圧力を高くすることで、ホース（１ｂ、１ｃ）の剛性は高くなり、外部からの力で変形しにくいものとなる。これにより、多段に積み重ねられて水道水が充填されたホース（１ａ、１ｂ、１ｃ）は、面的に剛直な止水壁５１を形成し、ホース支持部材（２、２’）で相互にずれて垂直下方向に一部垂れたりすることはない。また、止水壁５１は、水かさが増したときの水頭圧にも十分耐えることができる壁となる。
【００３５】
構築された複数のホース（１ａ、１ｂ、１ｃ）からなる止水壁５１は、ホース支持部材（２、２’）により固定されるため、所定の止水高さを確保し易いと共に、例えば台風や集中豪雨などが原因の降雨による水圧を受けたとしても崩れにくい。また、複数のホース１は、多段に積み重ねられた状態でホース支持部材（２、２’）により固定されるため、比較的小口径のホースを積み重ねて用いても崩れにくく、すなわち比較的軽量で取り扱い易いホースを用いることが可能となり、止水壁５１を台風などの緊急時に迅速に構築することができる。尚、ホース１に充填される流動体としては、井戸水や濁水なども利用することができる。
【００３６】
次に、本発明に係る止水壁を、地下街やビルなどの建物の浸水を防止するために設置した例について説明する。図２は、図１の止水壁５１をビルの入口１０１付近に設置した状態を示す図である。
【００３７】
図２に示すように、濁水の浸入が予想されるビルの入口１０１付近の床面上に、図１に示した本発明の一実施形態に係る止水壁５１を設置している。止水壁５１の両端部とビル入口１０１の壁部との間の隙間には、適宜、土嚢３などを挟みこんで止水性の向上を図る。尚、地下街やビルなどの建物の入口の形状などによっては、必ずしも土嚢３が必要になるわけではない。
【００３８】
図３は、ホース支持部材として土嚢３を用いた本発明の一実施形態に係る止水壁５１’をビルの入口付近に設置した状態を示す図である。
【００３９】
図３に示すように、図１に示した鋼板製部材２ａ（または２ｂ）の代わりに、ホース１の長手方向に直交する方向からホース１に当接するホース支持部材として、土嚢３を用いることもできる。本実施例においては、ビル入口の屋根１０２を支持する柱１０３も利用して、止水壁５１’を形成する複数のホース１を支持している。図１に示した鋼板製部材（２ａ、２ｂ）の搬入、設置も間に合わないような緊急時に対応する場合に採用できる手段である。尚、図３に示すように、複数のホース１は必ずしも全て直線状に配置されるわけではなく、止水対象によっては適宜、ホース１を曲げて多段に積み重ねることにより、止水壁５１’を形成してもよい。
【００４０】
＜止水壁の他の実施形態＞
図４および図５は、本発明の他の実施形態に係る止水壁（５１ａ、５１ｂ、５１ｃ、５１ｄ）を示す模式断面図である。図４（ａ）〜図５（ｂ）に示す本実施形態に係る止水壁（５１ａ、５１ｂ、５１ｃ、５１ｄ）は、いずれも図１に示した止水壁５１のＡ−Ａ方向と同方向の模式断面を示している。
【００４１】
図４（ａ）に示すように、本実施形態に係る止水壁５１ａは、図１に示した止水壁５１に対して、ホース１ｃの上にホース１ｄが積みかねられ計４段となっている。さらに、止水壁５１ａは、多段に積み重ねられた複数のホース１をホース１の長手方向に直交する方向からホース１全体を覆う矩形状のシート状部材７を備えている。シート状部材７は、ホース１と同様にポリエステル繊維からなる経糸と経糸とを用いて形成しているが、これに限られることはなく、例えば、ターポリン（ダイニック株式会社製）や一般的なビニールシートなどを用いることもできる。また、シート状部材７のホース１の長手方向に対応する長さは１０ｍとし、シート状部材７の幅は４本のホース１を約１周覆う長さとしている。また、最下段のホース１ａの下には、シート状部材７を介して吸水性ポリマーシート４を設置し、地盤との間の止水性をさらに向上させている。
【００４２】
シート状部材７で４本のホース１を覆うことにより、複数のホース１からなる止水壁５１ａの一体性を高めることができ、止水壁はより崩れにくいものとなる。また、積み重ねられた４本のホース１相互の間に水圧が直接かかることはなく、ホース１を覆うシート状部材７が面で水圧を受けることになる。これにより、止水壁５１ａの止水性をさらに向上させることができる。尚、シート状部材７は、内部に水道水が充填された４本のホース１の自重で押さえられるため容易に外れることはない。また、必ずしも４本のホース１全てを覆う必要はない。
【００４３】
次に、多段に積み重ねられた複数のホース１を、ホース１の長手方向に直交する方向からシート状部材７で覆うシート設置工程について説明する。ここでは予め地盤上に吸水性ポリマーシート４を設置しておく。そして、シート設置工程は、前記したホース設置工程や支持部材配置工程を行う前に、吸水性ポリマーシート４上を一部含む地盤上にシート状部材７を広げておく。仮に、ホース１の長さよりもシート状部材７の長さが短い場合は、シート状部材７を延長していく方向に、シート状部材７の端部を相互にラップさせながら複数のシート状部材７を設置していく。シート状部材７の設置が完了すれば、次にホース設置工程を行う。ここでは、シート状部材７を延長していく方向に直交する側のシート状部材７の側縁部上に沿わせてホース１ａを設置し、その上にホース１ｂ、１ｃ、１ｄを順に積み重ねていく。その後、前記したように支持部材配置工程を行う。支持部材配置工程においては、鋼板製部材２ａのベース部２１ａをシート状部材７の下に差し込むものとする。その後、シート状部材７で４本のホース１を覆い、流動体充填工程を行ってホース１を膨張させ、シート状部材７を介してホース１をホース支持部材（２、２’）に当接させ密着固定させる。
【００４４】
ここで、止水壁５１ａの図中左側が、地下街の入口などの浸水防止対象域であり、ホース１ａの下に位置し地盤にほぼ平行に配置されたシート状部材７の上記側縁部は、浸水防止対象域側であるホース１ａの図中左下に配置している。これにより、図中右側から水圧がかかった際、ホース１ａ下側のシート状部材７のめくれ上がりは防止される。
【００４５】
次に、図４（ｂ）に示す止水壁５１ｂは、図４（ａ）に示す止水壁５１ａと同様に、複数のホース１をホース１の長手方向に直交する方向から、シート状部材７で覆ったものであるが、止水壁５１ａと異なる点は、４本のホース（１ａ、１ｂ、１ｃ、１ｄ）間にシート状部材７を通し、シート状部材７でジグザグ状にホース（１ａ、１ｂ、１ｃ、１ｄ）を覆っている点である。これにより、多段に積み重ねた複数のホース１からなる止水壁５１ｂの一体性を高めている。
【００４６】
次に、図５（ａ）に示す止水壁５１ｃは、図４（ｂ）に示す止水壁５１ｂのシート状部材７にホース１よりも小口径の補強用ホース５を取り付けている点で止水壁５１ｂと異なる。補強用ホース５は、多段に積み重ねられ内部に水道水が充填されたホース（１ａ、１ｂ、１ｃ、１ｄ）間の隙間に挟持されるようにシート状部材７の両面に取り付けられている。補強用ホース５の内部には、空気や水道水が充填される。これにより、多段に積み重ねられたホース１の崩れはさらに防止され、止水壁５１ｃの一体性がさらに高まる。また、流動体充填工程の際に水道水が充填され膨張し重量を増していくホース（１ｂ、１ｃ、１ｄ）の転がりを防止できるため作業性も向上する。尚、補強用ホース５は、シート状部材７の片面のみに取り付けたとしても止水壁５１ｃの一体性に寄与する。また、補強用ホース５の代わりに、塩ビ管や比較的径の大きなロープなどを用いてもよい。
【００４７】
次に、図５（ｂ）に示す止水壁５１ｄは、図４（ａ）〜図５（ａ）に示した止水壁（５１ａ、５１ｂ、５１ｃ）が、シート状部材７を用いているのに対し、帯状のバンド６を用いている点で他の実施形態と相違する。図５（ｂ）に示すように、止水壁５１ｄは、多段に積み重ねられた複数のホース１を固定するための帯状のバンド６をさらに備え、このバンド６は、ホース１の長手方向に直交する方向からホース（１ａ、１ｂ、１ｃ、１ｄ）の周囲に８の字状に懸架されている。バンド設置工程においては、まず、バンド６の一端Ｅを最下段のホース１ａの下から差し込み反対側に取り出して、その後、ホース（１ａ、１ｂ、１ｃ、１ｄ）間を縫うようにホースの周囲に８の字状に懸架していく。最終的にバンド６の一端Ｅおよび他端Ｂはホース１ａの下に配置されている。多段に積み重ねられた複数のホース１は、バンド６により相互に固定され、止水壁５１ｄはさらに崩れにくくなる。また、仮にホース１が損傷してホース内部から水道水が漏れることによりホース１の剛性が多少低下しても、バンド６の拘束力により止水壁５１ｄの変形は生じにくい。また、バンド６は、比較的平坦な面を有しホース１に面接触するため、ホース１に損傷を与えにくい。
【００４８】
尚、バンド６は、最上段のホース１ｄ側から懸架されてもよい。また必ずしも全てのホース（１ａ、１ｂ、１ｃ、１ｄ）の周囲にバンド６が懸架される必要はない。また、帯状のバンド６の代わりにロープを用いてもよい。また、止水壁５１ｄが崩れることをさらに防止するために、ホース（１ａ、１ｂ、１ｃ、１ｄ）間の隙間に、図５（ａ）に示したような補強用ホース５をさらに挟みこんでもよい。
【００４９】
以上、本発明の実施形態について説明したが、本発明は上述の実施の形態に限られるものではなく、特許請求の範囲に記載した限りにおいて様々に変更して実施することが可能なものである。
【図面の簡単な説明】
【００５０】
【図１】本発明の一実施形態に係る止水壁を示す斜視図である。
【図２】図１の止水壁をビルの入口付近に設置した状態を示す図である。
【図３】ホース支持部材として土嚢を用いた本発明の一実施形態に係る止水壁をビルの入口付近に設置した状態を示す図である。
【図４】本発明の他の実施形態に係る止水壁を示す模式断面図である。
【図５】本発明の他の実施形態に係る止水壁を示す模式断面図である。
【符号の説明】
【００５１】
１：ホース
２：ホース支持部材（一対の鋼板製部材）
６：バンド
７：シート状部材
５１：止水壁
【図１】
2008285841.tif 000003
【図２】
2008285841.tif 000004
【図３】
2008285841.tif 000005
【図４】
2008285841.tif 000006
【図５】
2008285841.tif 000007